(57)【要約】【課題】簡単に目皿を掃除することができる排水栓装置１を提供する。【解決手段】排水栓装置１は、排水口３を開閉可能な排水栓５と、一端が前記排水栓５の下面に固定される長手状の軸部６と、当該軸部６に回転自在に取付けられ、排水口３を通って流下する排水中の異物を収集する目皿７と、前記目皿７の下方に設けられ前記軸部６にスライド自在に取付けられる回転止め８と、を備え、前記回転止め８はその上部に、前記目皿７の下部に設けられた嵌合部２０に噛み合う被嵌合部２１を有する。【選択図】図１
2010138539.tif 000002
【特許請求の範囲】
【請求項１】
排水口を開閉可能な排水栓と、
一端が前記排水栓の下面に固定される長手状の軸部と、
当該軸部に回転自在に取付けられ、排水口を通って流下する排水中の異物を収集する目皿と、
前記目皿の下方に設けられ前記軸部にスライド自在に取付けられる回転止めと、を備え、
前記回転止めはその上部に、前記目皿の下部に設けられた嵌合部に噛み合い、回転を規制する被嵌合部を有することを特徴とする排水栓装置。
【請求項２】
前記嵌合部及び被嵌合部は、互いに噛み合う山型であることを特徴とする請求項１に記載の排水栓装置。
【請求項３】
所定の操作部と、
該操作部からの操作を伝達する伝達部と、
該伝達部に伝達された操作により前記軸部の下端を押し上げるポップアップ機構と、をさらに備えることを特徴とする請求項１又は請求項２に記載の排水栓装置。
【請求項４】
前記目皿は、前記軸部に外挿する上筒部と、当該上筒部から外側に広がって形成され、排水口を流下する排水に含まれる異物を濾し取る上捕捉部と、を有し、
前記上筒部は前記上捕捉部の中央よりも盛り上がって形成されることを特徴とする請求項１から請求項３のいずれかに記載の排水栓装置。
【請求項５】
前記排水栓は前記軸部の一端から取外し可能であることを特徴とする請求項１から請求項４のいずれかに記載の排水栓装置。
【請求項６】
前記回転止めは、前記軸部に外挿する下筒部を有し、
該下筒部は、前記回転止めの中央において、外側に広がる略円錐状に形成されることを特徴とする請求項１から請求項５のいずれかに記載の排水栓装置。
【発明の詳細な説明】
【技術分野】
【０００１】
本発明は、排水口を開閉可能な排水栓装置に関し、特に、目皿の掃除を容易にすることができる排水栓装置に関する。
【背景技術】
【０００２】
洗面槽や浴槽等のように水を貯留する貯留槽の底部に設けられる排水口には、この排水口を開閉可能にするために排水栓装置１００が設けられている。従来の排水栓装置１００は、例えば図６に示すように、排水口を閉塞する弁１０１を設けた栓蓋１０２と、この栓蓋１０２を支持する支持軸１０３と、毛髪、コンタクトレンズ等の排水口から流下する排水とともに流れる異物を捕捉する目皿１０４、１０５と、を備えており、図示しないが、支持軸１０３の下端に設けられるポップアップ機構により、栓蓋を上下に移動することによって、排水口を開閉することができる（例えば特許文献１)。
【０００３】
この排水栓装置１００においては、目皿１０４、１０５は上下に２つ設けられており、上目皿１０４が排水口から流下する排水の中の異物を捕捉するとともに、下目皿１０５がオーバーフロー流路を通過した排水の中の異物を捕捉する役割を果たす。これらの目皿１０４、１０５は、製造過程での加工の容易さから支持軸１０３に対して回転自在に取付けられることが多い。
【０００４】
【特許文献１】特開平１１−６１９３１
【発明の開示】
【発明が解決しようとする課題】
【０００５】
しかし、上述のような排水栓装置１００においては、目皿１０４、１０５が支持軸１０３に対して回転自在であるので、この目皿１０４、１０５を例えばブラシでこすって掃除する際に、ブラシの摺動に合わせて目皿１０４、１０５が回転し目皿１０４、１０５に付着した汚れを取り除くことが困難である問題があった。
【０００６】
そこで、本発明は、簡単に目皿を掃除することができる排水栓装置を提供することを目的とする。
【課題を解決するための手段】
【０００７】
上記の目的を達成するために、請求項１に記載の排水栓装置は、排水口を開閉可能な排水栓と、一端が前記排水栓の下面に固定される長手状の軸部と、当該軸部に回転自在に取付けられ、排水口を通って流下する排水中の異物を収集する目皿と、前記目皿の下方に設けられ前記軸部にスライド自在に取付けられる回転止めと、を備え、前記回転止めはその上部に、前記目皿の下部に設けられた嵌合部に噛み合い、回転を規制する被嵌合部を有することを特徴としている。
【０００８】
なお、本発明において、「上方」及び「下方」は、排水栓装置を排水口に取付けた状態で、流下する排水の上流側を「上方」といい、下硫側を「下方」という。また、本発明において「回転を規制する」とは、回転止めそのものが軸部に対して回転しないように形成されることにより目皿の回転を規制するもの、及び回転止めそのものは軸部に対して回転自在に構成されており排水栓装置を掃除する際に掃除作業者が回転止めを回転しないように把持することにより目皿の回転を規制するものを含む。
【０００９】
また、請求項２に記載の排水栓装置は、前記嵌合部及び被嵌合部は、互いに噛み合う山型であることを特徴としている。
【００１０】
請求項３に記載の排水栓装置は、所定の操作部と、該操作部からの操作を伝達する伝達部と、該伝達部に伝達された操作により前記軸部の下端を押し上げるポップアップ機構と、をさらに備えることを特徴としている。
【００１１】
請求項４に記載の排水栓装置は、前記目皿は、前記軸部に外挿する上筒部と、当該上筒部から外側に広がって形成され、排水口を流下する排水に含まれる異物を濾し取る上捕捉部と、を有し、前記上筒部は前記上捕捉部の中央よりも盛り上がって形成されることを特徴としている。
【００１２】
請求項５に記載の排水栓装置は、前記排水栓は前記軸部の一端から取外し可能であることを特徴としている。
【００１３】
請求項６に記載の排水栓装置は、前記回転止めは、前記軸部に外挿する下筒部を有し、該下筒部は、前記回転止めの中央において、外側に広がる略円錐状に形成されることを特徴としている。
【発明の効果】
【００１４】
請求項１に記載の排水栓装置によると、目皿を掃除する際に、回転止めを上方に目皿に当接するようにスライドさせると目皿の下部に設けられた嵌合部と回転止めの被嵌合部とが噛み合うので、目皿が軸部に対して回転することを止めることができる。したがって、回転止めを上方にスライドさせることによって目皿を固定させることができ、たとえば目皿をブラシ等でこすって掃除する際に、ブラシの摺動に合わせて目皿が動くことを防ぐことができ清掃作業を容易なものとすることができる。
【００１５】
請求項２に記載の排水栓装置によると、目皿の嵌合部と回転止めの被嵌合部は、互いに噛み合う山型であるので、直角に角張って設けられた場合に比べて排水が溜まりにくく、水垢等が付きにくい。また、この嵌合部及び被嵌合部を掃除する際にも、直角に角張った場合に比べてブラシの先端が入り込み易く掃除し易い。
【００１６】
請求項３に記載の排水栓装置によると、排水栓を軸部が支持することで、遠隔操作により開閉可能なポップアップ式の排水栓装置として用いることができる。
【００１７】
請求項４に記載の排水栓装置によると、目皿に形成された上筒部が上捕捉部の中央よりも盛り上がって形成されているので、排水口から流下した排水はのうち上筒部に当った排水がスムーズに上捕捉部に流れ落ちることになる。したがって、上筒部の上端が上捕捉部の中央部分と同じ面上にある場合に比べて、毛髪等の異物がこの上筒部及び軸部に絡まる虞を少なくすることができる。
【００１８】
請求項５に記載の排水栓装置によると、軸部の上端に取付けられた排水栓が軸部から取外し可能であるので、排水栓装置を掃除する際にこの排水栓を取り外すことで、目皿の上捕捉部に収集された異物をより簡単に廃棄することができる。特に請求項４の発明と組み合わせた場合は、毛髪等の異物が上筒部及び軸部に絡まることが少ないので、排水栓を取り外した排水栓装置を排水口から取り外して、下向きに傾けることにより、目皿の上捕捉部に溜まった異物をきわめて簡単に捨てることができる。
【００１９】
請求項６に記載の排水栓装置によると、下筒部は回転止めの中央において外側に広がる略円錐状に形成されているので、この下筒部の下側の軸部は排水に接触しにくい。したがって、排水栓装置を掃除する際に、この下筒部の下側の軸部を把持することで、比較的手を汚すことなく、排水栓装置を掃除することができる。なお、この下筒部の下側の軸部を把持しやすい形状に形成することや軸部の周りに把持しやすい材質のグリップを設けてもよい。
【発明を実施するための最良の形態】
【００２０】
以下において、本発明の排水栓装置１の最良の実施形態について、各図を参照しつつ説明する。排水栓装置１は、図１に示すように、洗面槽や浴槽などの水を貯留する貯留槽２の底面に設けられた排水口３から排水管４内に挿入されて固定され、排水口３を開状態と閉状態とにそれぞれ維持するものである。この排水栓装置１は、排水口３を開閉する排水栓５と、この排水栓５に上端が固定される軸部６と、この軸部６にスライド自在且つ回転自在に取付けられる目皿７及び回転止め８と、軸部６に外挿されて目皿７が所定以上、上方にスライドすることを規制するゴムパッキン９と、軸部の下端に設けられたグリップ１０に当接して、このグリップを押し上げ可能なポップアップ機構１１と、このポップアップ機構を操作する操作部１２及び操作部１２の操作をポップアップ機構１１に伝達するレリースワイヤ１３とにより構成されている。
【００２１】
排水栓５は排水口３を上方から覆う栓蓋１４と、この栓蓋１４の下端に設けられて、排水口３を排水栓５で閉じたときに排水口３の内周縁に水密よく当接する排水弁１５と、により構成されている。排水口３は例えば陶器で形成された貯留槽２の底面に円形の開口を設け、この開口に例えばステンレス製環状の開口金具１６を取付けたものである。この開口金具１６の外周径は、栓蓋１４の径とほぼ等しく形成されており、排水栓５を閉じた時に排水栓１４によって覆われることで、開口金具１６は外側に露出されなくなり、貯留槽２の意匠性を優れたものにすることができる。
【００２２】
目皿７は、図２に示すように、軸部６に外挿する上筒部１７と、この上筒部１７から外側に広がって形成される排水口３を流下する排水に含まれる異物を濾し取る上捕捉部１８と、を有する。上筒部１７は、その上面が上捕捉部１８の中央から盛り上がった形状に形成されており、その中央には軸部６を挿入する貫通孔１９が設けられている。そして、この上筒部１７の下面には、回転止め８の上端に形成される被嵌合部２１に嵌合するなだらかな山型の嵌合部２０が形成されている。
【００２３】
回転止め８は、図３に示すように、軸部６に外挿する下筒部２２と、この下筒部２２から外側に広がって形成される目皿７の上捕捉部１８を通過した排水及び貯留槽２の側面に開口した図示しないオーバーフロー孔からオーバーフロー管２３を通って排水管４に流下する排水に含まれる異物を濾し取る下捕捉部２４と、を有しており、下筒部２２はこの下捕捉部２４の中央において、外側に広がる略円錐状に形成される。なお、本実施形態においては、このように回転止め８が下捕捉部２４を有してオーバーフロー排水に含まれる異物を濾し取る役割を兼ねているが、回転止め８がこのような下捕捉部２４を設けない構成としてもよい。
【００２４】
下筒部２２が略円錐状に形成されることで、上方から流下する排水はこの下筒部２２ににより排水管４内でやや外側に導かれるので、排水管４の中心にはあまり排水が流れない。したがって、軸部６の下端に設けられたグリップには排水が付着することが比較的少なく、水垢等の汚れが付きにくい。この下筒部の上端には目皿７の上筒部１７の下面に形成される嵌合部２０に嵌合する被嵌合部２１が設けられている。
【００２５】
ポップアップ機構１１は軸部６のグリップ１０の下側に設けられており、例えばスラストロック機構により構成されている。操作部１２は例えば貯水槽の上端に設けられた図示しない蛇口に隣接して設けられており、排水口３が閉塞した状態で、操作部１２を１回押し込むとその動作がレリースワイヤ１３によりポップアップ機構１１に伝達されて、ポップアップ機構１１の上部に設けられた押し上げ部２５を上方に移動させる。そして、この押し上げ部２５がその上面に当接するグリップ１０を押し上げ、軸部６を介して排水栓５を押し上げ排水口３を開く。排水口３が開いた状態で操作部１２を再度押し込むと、レリースワイヤ１３を介してポップアップ機構１１に伝達され、押し上げ部２５を下方に移動させる。そして、押し上げ部２５に当接しているグリップ１０も下方に降下し、排水栓５が排水口３を閉塞する。なお、ポップアップ機構１１は上述のものに限定されるものではなく、操作部１２の操作により排水口３を開閉することができる様々なポップアップ機構を用いることができる。
【００２６】
以上のように構成される排水栓装置１を排水管４から取り外して掃除する場合には、排水栓５を把持して排水口３から排水栓装置１を抜き出す。そして、図４に示すように、回転止め８を上方にスライドさせて、回転止め８の被嵌合部２１と目皿７の嵌合部２０とを嵌合させた状態で、さらに回転止め８及び目皿７を上方にスライドさせて、目皿７の上筒部１７の上面をゴムパッキン９に当接させる。このとき、掃除作業をする者は、グリップ１０を把持しつつ、回転止め８を上方にスライドさせるので、もっとも汚れが付着しやすい目皿７に触る必要がない。また、目皿７の嵌合部２０が回転止め８の被嵌合部２１と当接することで、目皿７が軸部６に対して回転することを規制でき、また、目皿７が回転止め８とゴムパッキン９との間に挟みこまれることで、軸部６に対してスライドすることを規制できるので、目皿７をブラシ等でこすって掃除する際に目皿７が回転し、又は上下にスライドすることがなく、より簡単に掃除することができる。
【００２７】
なお、図５（Ａ）に示すように、排水栓５は軸部６と螺着により固定されており、回転させることにより軸部６から排水栓５を取り外すことができる。したがって、排水栓５を取り外した状態で目皿７を掃除することができるので、排水栓５が邪魔になって目皿の内側が掃除しにくくなることが無い。特に、この実施形態の排水栓装置１において目皿７は、リブを交差させて網目状に形成した底部を有する円筒状のものではなく、略半球形状であって球面に開口を設けて上捕捉部とするものであるので、目皿７の表面には余計な凹凸や、エッジ、角となる部分がなく、毛髪等の異物が絡まりにくい。また、半球形状であることで、従来の排水栓装置の円筒状の目皿のように角の隅に異物が留まるといったこともない。また、目皿７の上筒部１７は上捕捉部から盛り上がって円錐状に形成されているので、毛髪等の異物がほどけながら軸部６から上筒部１７上を降下し、軸部６や上筒部１７に絡まりにくい。このようにして、毛髪等の異物は、上捕捉部１８に絡まったり、こびりついたりすることなく捕捉されているので、図５（Ｂ）に示すように、排水栓５を軸部６から取り外した状態で、排水栓装置１の軸部６を斜めに傾けて目皿７の上部を下に向けるか、多少の勢いを付けて振ると、そのまま上捕捉部１８に溜まった異物を極めて簡単に捨てることができる。
【００２８】
なお、本発明の実施の形態は、本実施形態に限ることなく、本発明の思想の範囲を逸脱しない範囲で適宜変更することができることは云うまでもない。
【産業上の利用可能性】
【００２９】
本発明の排水栓装置１は、洗面槽や浴槽などのように水を貯留する貯留槽２の底面に設けられる排水口３を開閉可能にすることができ、且つ、簡単に掃除することができる排水栓装置１として好適に用いることができる。
【図面の簡単な説明】
【００３０】
【図１】本発明の排水栓装置の構成を説明する断面図。
【図２】排水栓装置の目皿の構成を説明する一部省略断面図。
【図３】排水栓装置の回転止めの構成を説明する一部省略斜視図。
【図４】排水栓装置の回転止めを上方にスライドさせて、目皿を固定する状態を説明する図。
【図５】排水栓を軸部から取り外して掃除を行う状態を説明する図。
【図６】従来の排水栓装置を説明する図。
【符号の説明】
【００３１】
１    排水栓装置
３    排水口
５    排水栓
６    軸部
７    目皿
８    回転止め
１１  ポップアップ機構
１２  操作部
１３  レリースワイヤ（伝達部）
１７  上筒部
１８  上捕捉部
２０  嵌合部
２１  被嵌合部
２２  下筒部
２４  下捕捉部
【図１】
2010138539.tif 000003
【図２】
2010138539.tif 000004
【図３】
2010138539.tif 000005
【図４】
2010138539.tif 000006
【図５】
2010138539.tif 000007
【図６】
2010138539.tif 000008